【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
画像を記憶する画像記憶手段と、
この画像記憶手段に記憶された画像を絵画風画像に変換する絵画風画像変換手段と、
サインを入力する入力手段と、
前記画像又は絵画風画像に含まれている色を検出し、この検出された複数の色をサイン選択候補として表示させる色表示制御手段と、
この色表示制御手段の制御により表示されたサイン選択候補としての複数の色および当該複数の色以外の他の特定色のいずれかの色の中から、サインとして使用する色を選択する色選択手段と、
この色選択手段により選択された色を用いて、前記入力手段により入力されたサインを前記絵画風画像変換手段により変換された絵画風画上に配置させるサイン色表示制御手段と、
を備えていることを特徴とする絵画風画像表示制御装置。
【請求項２】
前記絵画風画像上において前記サインを配置する位置を指定するサイン位置指定手段を更に備え、
前記サイン色表示制御手段は、前記サイン位置指定手段により指定された絵画風画上の位置に、前記選択された色を用いて前記サインを配置させることを特徴とする請求項１記載の絵画風画像表示制御装置。
【請求項３】
前記サイン位置指定手段は、前記絵画風画像上において前記サインを配置する位置の選択候補であるサイン位置選択候補を表示させるサイン位置選択候補表示制御手段と、
このサイン位置選択候補表示制御手段の制御により表示される前記サイン位置選択候補中からいずれかを選択するサイン位置選択手段とを備え、
前記サイン色表示制御手段は、前記サイン位置選択手段により選択されたサイン位置選択候補が示す絵画風画上の位置に、前記選択された色を用いて前記サインを配置させることを特徴とする請求項２記載の絵画風画像表示制御装置。
【請求項４】
前記サイン位置選択候補には、前記絵画風画像における絵画部分の中の位置と、絵画部分の以外の位置とが含まれることを特徴とする請求項３記載の絵画風画像表示制御装置。 
【請求項５】
画像を記憶する画像記憶手段と、
この画像記憶手段に記憶された画像を絵画風画像に変換する絵画風画像変換手段と、
サインを入力する入力手段と、
前記絵画風画像変換手段により変換された絵画風画像の絵画部分における輪郭を抽出する輪郭抽出手段と、
この輪郭抽出手段により抽出された輪郭に沿って、前記入力手段により入力されたサインを配置させるサイン配置表示制御手段と、
を備えていることを特徴とする絵画風画像表示制御装置。
【請求項６】
前記絵画風画像上において前記サインを配置する位置を指定するサイン位置指定手段を更に備え、
前記サイン配置表示制御手段は、前記サイン位置指定手段により指定された絵画風画上の位置に、前記サインを配置させることを特徴とする請求項５記載の絵画風画像表示制御装置。
【請求項７】
前記サイン位置指定手段は、前記絵画風画像上において前記サインを配置する位置の選択候補であるサイン位置選択候補を表示させるサイン位置選択候補表示制御手段と、
このサイン位置選択候補表示制御手段の制御により表示される前記サイン位置選択候補中からいずれかを選択するサイン位置選択手段とを備え、
前記サイン配置表示制御手段は、前記サイン位置選択手段により選択されたサイン位置選択候補が示す絵画風画上の位置に前記サインを配置させることを特徴とする請求項６記載の絵画風画像表示制御装置。
【請求項８】
画像を記憶する画像記憶手段を有する装置が有するコンピュータを、
前記画像記憶手段に記憶された画像を絵画風画像に変換する絵画風画像変換手段と、
サインを入力する入力手段と、
前記画像又は絵画風画像に含まれている色を検出し、この検出された複数の色をサイン選択候補として表示させる色表示制御手段と、
この色表示制御手段の制御により表示されたサイン選択候補としての複数の色および当該複数の色以外の他の特定色のいずれかの色の中から、サインとして使用する色を選択する色選択手段と、
この色選択手段により選択された色を用いて、前記入力手段により入力されたサインを前記絵画風画像変換手段により変換された絵画風画上に配置させるサイン色表示制御手段と、
して機能させることを特徴とする絵画風画像表示制御プログラム。
【請求項９】
画像を記憶する画像記憶手段を有する装置が有するコンピュータを、
前記画像記憶手段に記憶された画像を絵画風画像に変換する絵画風画像変換手段と、
サインを入力する入力手段と、
前記絵画風画像変換手段により変換された絵画風画像の絵画部分における輪郭を抽出する輪郭抽出手段と、
この輪郭抽出手段により抽出された輪郭に沿って、前記入力手段により入力されたサインを配置させるサイン配置表示制御手段と、
して機能させることを特徴とする絵画風画像表示制御プログラム。
【請求項１０】
画像を記憶する画像記憶手段を有する装置における絵画風画像表示制御方法であって、
前記画像記憶手段に記憶された画像を絵画風画像に変換する絵画風画像変換ステップと、
サインを入力する入力ステップと、
前記画像又は絵画風画像に含まれている色を検出し、この検出された複数の色をサイン選択候補として表示させる色表示制御ステップと、
この色表示制御ステップでの制御により表示されたサイン選択候補としての複数の色および当該複数の色以外の他の特定色のいずれかの色の中から、サインとして使用する色を選択する色選択ステップと、
この色選択ステップにより選択された色を用いて、前記入力ステップにより入力されたサインを前記絵画風画像変換ステップにより変換された絵画風画上に配置させるサイン色表示制御ステップと、
を含むことを特徴とする絵画風画像表示制御方法。
【請求項１１】
画像を記憶する画像記憶手段を有する装置における絵画風画像表示制御方法であって、
前記画像記憶手段に記憶された画像を絵画風画像に変換する絵画風画像変換ステップと、
サインを入力する入力ステップと、
前記絵画風画像変換ステップにより変換された絵画風画像の絵画部分における輪郭を抽出する輪郭抽出ステップと、
この輪郭抽出ステップにより抽出された輪郭に沿って、前記入力ステップにより入力されたサインを配置させるサイン配置表示制御ステップと、
を含むことを特徴とする絵画風画像表示制御方法。
【手続補正２】
【補正対象書類名】明細書
【補正対象項目名】０００７
【補正方法】変更
【補正の内容】
【０００７】
前記課題を解決するため、請求項１記載の発明に係る絵画風画像表示制御装置にあっては、画像を記憶する画像記憶手段と、この画像記憶手段に記憶された画像を絵画風画像に変換する絵画風画像変換手段と、サインを入力する入力手段と、前記画像又は絵画風画像に含まれている色を検出し、この検出された複数の色をサイン選択候補として表示させる色表示制御手段と、この色表示制御手段の制御により表示されたサイン選択候補としての複数の色および当該複数の色以外の他の特定色のいずれかの色の中から、サインとして使用する色を選択する色選択手段と、この色選択手段により選択された色を用いて、前記入力手段により入力されたサインを前記絵画風画像変換手段により変換された絵画風画上に配置させるサイン色表示制御手段と、を備えていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】変更
【補正の内容】
【００１２】
また、請求項５記載の発明に係る絵画風画像表示制御装置にあっては、画像を記憶する画像記憶手段と、この画像記憶手段に記憶された画像を絵画風画像に変換する絵画風画像変換手段と、サインを入力する入力手段と、前記絵画風画像変換手段により変換された絵画風画像の絵画部分における輪郭を抽出する輪郭抽出手段と、この輪郭抽出手段により抽出された輪郭に沿って、前記入力手段により入力されたサインを配置させるサイン配置表示制御手段と、を備えていることを特徴とする。
【手続補正５】
【補正対象書類名】明細書
【補正対象項目名】００１４
【補正方法】変更
【補正の内容】
【００１４】
また、請求項７記載の発明に係る絵画風画像表示制御装置にあっては、前記サイン位置指定手段は、前記絵画風画像上において前記サインを配置する位置の選択候補であるサイン位置選択候補を表示させるサイン位置選択候補表示制御手段と、このサイン位置選択候補表示制御手段の制御により表示される前記サイン位置選択候補中からいずれかを選択するサイン位置選択手段とを備え、前記サイン配置表示制御手段は、前記サイン位置選択手段により選択されたサイン位置選択候補が示す絵画風画上の位置に前記サインを配置させることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
また、請求項８記載の発明に係る絵画風画像表示制御プログラムにあっては、画像を記憶する画像記憶手段を有する装置が有するコンピュータを、前記画像記憶手段に記憶された画像を絵画風画像に変換する絵画風画像変換手段と、サインを入力する入力手段と、前記画像又は絵画風画像に含まれている色を検出し、この検出された複数の色をサイン選択候補として表示させる色表示制御手段と、この色表示制御手段の制御により表示されたサイン選択候補としての複数の色および当該複数の色以外の他の特定色のいずれかの色の中から、サインとして使用する色を選択する色選択手段と、この色選択手段により選択された色を用いて、前記入力手段により入力されたサインを前記絵画風画像変換手段により変換された絵画風画上に配置させるサイン色表示制御手段と、して機能させることを特徴とする。
【手続補正１２】
【補正対象書類名】明細書
【補正対象項目名】００２１
【補正方法】変更
【補正の内容】
【００２１】
また、請求項９記載の発明に係る絵画風画像表示制御プログラムにあっては、画像を記憶する画像記憶手段を有する装置が有するコンピュータを、前記画像記憶手段に記憶された画像を絵画風画像に変換する絵画風画像変換手段と、サインを入力する入力手段と、前記絵画風画像変換手段により変換された絵画風画像の絵画部分における輪郭を抽出する輪郭抽出手段と、この輪郭抽出手段により抽出された輪郭に沿って、前記入力手段により入力されたサインを配置させるサイン配置表示制御手段と、して機能させることを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
また、請求項１０記載の発明に係る絵画風画像表示制御方法にあっては、画像を記憶する画像記憶手段を有する装置における絵画風画像表示制御方法であって、前記画像記憶手段に記憶された画像を絵画風画像に変換する絵画風画像変換ステップと、サインを入力する入力ステップと、前記画像又は絵画風画像に含まれている色を検出し、この検出された複数の色をサイン選択候補として表示させる色表示制御ステップと、この色表示制御ステップでの制御により表示されたサイン選択候補としての複数の色および当該複数の色以外の他の特定色のいずれかの色の中から、サインとして使用する色を選択する色選択ステップと、この色選択ステップにより選択された色を用いて、前記入力ステップにより入力されたサインを前記絵画風画像変換ステップにより変換された絵画風画上に配置させるサイン色表示制御ステップと、を含むことを特徴とする。
【手続補正１５】
【補正対象書類名】明細書
【補正対象項目名】００２４
【補正方法】変更
【補正の内容】
【００２４】
また、請求項１１記載の発明に係る絵画風画像表示制御方法にあっては、画像を記憶する画像記憶手段を有する装置における絵画風画像表示制御方法であって、前記画像記憶手段に記憶された画像を絵画風画像に変換する絵画風画像変換ステップと、サインを入力する入力ステップと、前記絵画風画像変換ステップにより変換された絵画風画像の絵画部分における輪郭を抽出する輪郭抽出ステップと、この輪郭抽出ステップにより抽出された輪郭に沿って、前記入力ステップにより入力されたサインを配置させるサイン配置表示制御ステップと、を含むことを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２７
【補正方法】変更
【補正の内容】
【００２７】
具体的には、請求項１、８、１０に係る発明によれば、画像又は絵画風画像に含まれている複数の色をサイン選択候補として表示し、この表示されたサイン選択候補としての複数の色の中から、サインとして使用する色を自由に選択してサインを配置することができる。このために、絵画を作成した直後に、当該作成済みの絵画に使った絵の具などの色を用いて、または、絵画を作成した直後に、当該作成済みの絵画に使った絵の具などの色以外の特別な色を用いて、絵画中にサインを施す場合と同様な雰囲気を醸し出すことができる。
【手続補正１８】
【補正対象書類名】明細書
【補正対象項目名】００２８
【補正方法】変更
【補正の内容】
【００２８】
請求項５、９、１１に係る発明によれば、絵画の外でなく、絵画の内部にも、絵画部分の輪郭線に沿って入力済みサインを配置させることができる。有名なゴッホなどは、絵画部分の輪郭線に沿ってサインを描く手法を多用しているが、このような手法と同様な雰囲気を醸し出すことができる。
【手続補正１９】
【補正対象書類名】明細書
【補正対象項目名】００２９
【補正方法】削除
【補正の内容】
【手続補正２０】
【補正対象書類名】明細書
【補正対象項目名】００６２
【補正方法】変更
【補正の内容】
【００６２】
これにより、ＣＰＵ１９はステップＳ１０８をＹＥＳと判断し、ステップＳ１０９に処理を進めて、サイン位置候補の表示処理を実行する。このステップＳ１０９での処理により、ＣＰＵ１９は図１０に示すように、液晶モニタ４の右画面４０２に「サインの位置を選択してください」の文字列等と選択肢「右下」「左下」「余白」「絵画部分の中」・・・及びカーソル４０５を表示させる。